(57)【要約】【課題】  暗証解錠装置を備えた暗証解錠装置連動電気錠システムにおいて、屋内に戻ることなく電気錠を警戒モードに設定可能とする。【解決手段】  電気錠コントローラ２は、解錠動作する解錠暗証番号以外に警戒モードに動作設定する警戒設定暗証番号、インターホン親機４を防犯モードに動作設定する防犯設定暗証番号、更にインターホン親機４を録画モードに設定する録画モード設定暗証番号を記憶したメモリ１２を備え、電気錠コントローラ制御部１７は、暗証解錠装置３から入力された番号情報と記憶している番号情報とを比較判断し、警戒設定暗証番号であったら警戒モードに動作設定し、防犯設定暗証番号或いは録画設定暗証番号であったら、インターホン親機４にその設定信号を送出する。インターホン親機制御部３８では、設定信号が伝送されてきたら、防犯モード或いは録画モードに設定動作する。【選択図】  図１
2005188056.tif 000002
【特許請求の範囲】
【請求項１】
扉に設けた電気錠と、前記電気錠を制御すると共に前記扉の不正な開扉があった際に警報を発する警戒モード動作が可能な電気錠コントローラと、前記電気錠コントローラに接続され、複数のキーボタンを有して暗証番号入力により前記電気錠を解錠操作するための暗証解錠装置とを備え、更に前記電気錠コントローラには、インターホン親機及びインターホン子機を有するインターホン装置が接続されて成る暗証解錠装置連動電気錠システムであって、
前記電気錠コントローラは、解錠操作する暗証番号以外に少なくとも前記警戒モードに動作設定するための警戒設定暗証番号を記憶した暗証番号記憶部を備え、前記暗証解錠装置から入力された番号情報は、前記電気錠コントローラにおいて前記暗証番号記憶部に記憶している番号情報と比較され、前記警戒設定暗証番号であったら前記警戒モードに動作設定が成されることを特徴とする暗証解錠装置連動電気錠システム。
【請求項２】
前記暗証解錠装置は、前記電気錠コントローラが前記警戒モードに設定されたことを報知する発音部を有することを特徴とする請求項１記載の暗証解錠装置連動電気錠システム。
【請求項３】
前記インターホン親機が、窓等の不正操作を検知する防犯センサが接続されて、前記防犯センサが作動した時に警報を発する防犯モード動作が可能な場合は、
前記暗証番号記憶部は、前記インターホン親機を前記防犯モードに動作設定するための防犯設定暗証番号を記憶し、前記暗証解錠装置から入力された番号情報は、前記電気錠コントローラにおいて前記暗証番号記憶部に記憶している番号情報と比較され、防犯設定暗証番号であったら、前記インターホン親機に対して、防犯モードに動作設定するための防犯モード設定信号を出力し、前記インターホン親機は、前記防犯モード設定信号を受けて防犯モードに動作設定が成されるこを特徴とする請求項１又は２記載の暗証解錠装置連動電気錠システム。
【請求項４】
前記インターホン子機が来訪者を撮像するカメラを備えると共に、前記インターホン親機が前記カメラの撮像映像を出画するテレビ画面部を備え、更に前記インターホン子機からの呼出操作を受けて前記カメラが撮像した映像を録画する録画モード動作が可能なインターホン装置が接続されている場合は、
前記暗証番号記憶部は、前記インターホン親機を前記録画モードに設定するための録画設定暗証番号を記憶し、前記暗証解錠装置から入力された番号情報は、前記電気錠コントローラにおいて前記暗証番号記憶部に記憶している番号情報と比較され、録画設定暗証番号であったら、前記インターホン親機に対して録画モードに動作設定するための録画モード設定信号を出力し、前記インターホン親機は、前記録画モード設定信号を受けて録画モードに動作設定が成されることを特徴とする請求項１乃至３の何れかに記載の暗証解錠装置連動電気錠システム。
【発明の詳細な説明】
【技術分野】
【０００１】
本発明は、玄関等に設けた暗証解錠装置により暗証番号入力で扉の解錠操作をする暗証解錠装置連動電気錠システムに関し、特にインターホン装置に接続されてインターホン装置からも解錠操作等が可能な暗証解錠装置連動電気錠システムに関する。
【背景技術】
【０００２】
従来の、玄関等に設けた暗証解錠装置により暗証番号入力で電気錠を解錠操作可能とすると共に、住戸内に設けられたインターホン親機からも解錠操作を可能とした暗証解錠装置連動電気錠システムとして例えば非特許文献１に示す構成のものがある。これは、図３の機器接続図に示すように構成されている。図３において、４１は扉に設けられた電気錠、４２は電気錠４１を制御する電気錠コントローラ、４３はインターホン親機、４４は玄関に設置された暗証解錠装置、４５はインターホン子機であり、暗証解錠装置４４のキーボタン４４ａを操作して暗証番号を入力することで電気錠４１が解錠動作し、またインターホン親機４３の解錠ボタン４３ａを操作しても電気錠が解錠動作する。
そして、電気錠コントローラ４２は、電気錠４１付扉の不正な開扉があった際に警報を出力させる警戒モードに設定するための警戒設定ボタン４２ａを有し、使用者がこの警戒設定ボタン４２ａを押すと警戒モードに動作設定され、この設定で電気錠４１付扉が不正に開けられた場合には、電気錠コントローラ４２はそれを検知して警告音を発すると共に、暗証解錠装置４４は警報を発する。
【０００３】
【非特許文献１】２００３／２００４アイホン総合カタログｐ．８２−８３
【発明の開示】
【発明が解決しようとする課題】
【０００４】
しかし、上記従来の技術は、電気錠コントローラ４２が屋内にあるため、使用者である住居人が屋外に出てしまってから警戒モードに設定しようとすると、もう一度屋内に入り電気錠コントローラ４２の警戒設定ボタン４２ａを操作して警戒モードに設定しなければならず面倒であった。
そこで、本発明は上記問題点に鑑み成されたもので、屋外に設けた暗証解錠装置から電気錠を警戒モードに設定可能とすることを目的とする。
【課題を解決するための手段】
【０００５】
上記課題を解決するため、請求項１の発明は、扉に設けた電気錠と、電気錠を制御すると共に扉の不正な開扉があった際に警報を発する警戒モード動作が可能な電気錠コントローラと、電気錠コントローラに接続され、複数のキーボタンを有して暗証番号入力により電気錠を解錠操作するための暗証解錠装置とを備え、更に電気錠コントローラには、インターホン親機及びインターホン子機を有するインターホン装置が接続されて成る暗証解錠装置連動電気錠システムであって、電気錠コントローラは、解錠操作する暗証番号以外に少なくとも警戒モードに動作設定するための警戒設定暗証番号を記憶した暗証番号記憶部を備え、暗証解錠装置から入力された番号情報は、電気錠コントローラにおいて暗証番号記憶部に記憶している番号情報と比較され、警戒設定暗証番号であったら警戒モードに動作設定が成されることを特徴とする。
この発明により、玄関等の屋外に設置された暗証解錠装置のキーボタンを使用して、電気錠コントローラを警戒モードに設定できるので、屋内に戻ることなく警戒モードに設定でき便利である。また、別途警戒モード設定のために装置を設ける必要がないので、安価に構成できる。
【０００６】
請求項２の発明は、請求項１記載の発明において、暗証解錠装置は、電気錠コントローラが警戒モードに設定されたことを報知する発音部を有することを特徴とする。
この発明により、音情報により警戒モードに設定されたことを認識できるので、電気錠コントローラにおいて直接設定しなくても、設定者は設定されたことを認識でき、安心できる。
【０００７】
請求項３の発明は、請求項１又は２に記載の発明において、インターホン親機が、窓等の不正操作を検知する防犯センサが接続されて、防犯センサが作動した時に警報を発する防犯モード動作が可能な場合は、暗証番号記憶部は、インターホン親機を防犯モードに動作設定するための防犯設定暗証番号を記憶し、暗証解錠装置から入力された番号情報は、電気錠コントローラにおいて暗証番号記憶部に記憶している番号情報と比較され、防犯設定暗証番号であったら、インターホン親機に対して防犯モードに動作設定するための防犯モード設定信号を出力し、インターホン親機は、防犯モード設定信号を受けて防犯モードに動作設定が成されることを特徴とする。
この発明により、インターホン装置の防犯モード設定に対しても屋内に戻ることなく暗証解錠装置からできるので、安価に利便性を向上させることができる。
【０００８】
請求項４の発明は、請求項１乃至３の何れかに記載の発明において、インターホン子機が来訪者を撮像するカメラを備えると共に、インターホン親機が前記カメラの撮像映像を出画するテレビ画面部を備え、更にインターホン子機からの呼出操作を受けてカメラが撮像した映像を録画する録画モード動作が可能なインターホン装置が接続されている場合は、暗証番号記憶部は、インターホン親機を録画モードに設定するための録画設定暗証番号を記憶し、暗証解錠装置から入力された番号情報は、電気錠コントローラにおいて暗証番号記憶部に記憶している番号情報と比較され、録画設定暗証番号であったら、インターホン親機に対して録画モードに動作設定するための録画モード設定信号を出力し、インターホン親機は、録画モード設定信号を受けて録画モードに動作設定が成されることを特徴とする。
この発明により、インターホン装置の録画モード設定に対しても屋内に戻ることなく暗証解錠装置からできるので、安価に利便性を向上させることができる。
【発明の効果】
【０００９】
このように、玄関等の屋外に設置された暗証解錠装置のキーボタンを使用して、電気錠コントローラを警戒モードに設定できるので、屋内に戻ることなく警戒モードに設定でき便利である。また、別途警戒モード設定のために装置を設ける必要がないので、安価に構成できるし、暗証番号入力により設定するので、屋外で設定しても、設定を解除される心配がない。
更に、暗証解錠装置により、インターホン装置を防犯モードや録画モードに設定することもでき、便利である。
【発明を実施するための最良の形態】
【００１０】
以下、本発明を具体化した実施の形態を、図面に基づいて詳細に説明する。図１は本発明に係る暗証解錠装置連動電気錠システムの実施形態の一例を示すブロック図であり、１は扉に設けられた電気錠、２はその電気錠を制御する電気錠コントローラ、３は電気錠の解錠操作等を行うための暗証解錠装置、４はインターホン親機、５は図示しないテレビカメラを備えたインターホン子機を示している。電気錠１、暗証解錠装置３及びインターホン親機４は電気錠コントローラ２に接続され、インターホン子機５はインターホン親機４に接続されている。また、６は窓や扉の不正な開放操作を検知する防犯センサであり、インターホン親機４に接続されている。
【００１１】
電気錠コントローラ２は、電気錠１を設けた扉の不正な開扉があった場合、或いは電気錠１が不正に解錠した場合に警報を発する機能（警戒モード動作機能）を備え、警戒モードに動作設定する警戒設定ボタン１１、暗証番号情報等を記憶する暗証番号記憶部としてのメモリ１２、警報音等を発する発音部１３、暗証解錠装置３を接続するための電気錠コントローラ第１インターフェイス（以下、インターフェイスを単にＩ／Ｆとする。）１４、電気錠１を接続するための電気錠Ｉ／Ｆ１５、インターホン親機４を接続するための電気錠コントローラ第２Ｉ／Ｆ１６、そしてＣＰＵを有して電気錠コントローラ２の各回路を制御する電気錠コントローラ制御部１７を備えている。
【００１２】
暗証解錠装置３は、複数のキーを有して暗証番号を入力するキーボタン２１、発光表示動作するＬＥＤ２２、警報音等を発する発音部２３、電気錠コントローラ２に接続するための暗証解錠装置Ｉ／Ｆ２４、そしてＣＰＵを有して暗証解錠装置３の各回路を制御する暗証解錠装置制御部２５を備えている。
【００１３】
インターホン親機４は、接続されている防犯センサ６が作動した時に警報を発する機能（防犯モード動作機能）、来訪者がインターホン子機５の図示しない呼出ボタンを操作した際に自動で録画する機能（録画モード動作機能）を備え、防犯モードに設定する防犯設定スイッチ３１、録画モードに設定する録画設定ボタン３２を備えている。また、警報音等を発する発音部３３、インターホン子機５から伝送されてきたカメラ撮像映像を映し出すテレビ画面部３４、撮像映像を録画する録画部３５、電気錠コントローラ２に接続するための親機第１Ｉ／Ｆ３６、インターホン子機５を接続するための親機第２Ｉ／Ｆ３７、そしてＣＰＵを有してインターホン親機を制御するインターホン親機制御部３８を備えている。
尚、図１のインターホン親機４は、インターホン子機５を介して来訪者と通話するための通話部、電気錠１を解錠操作する解錠ボタンを備えているが、ここでは省略している。また、発音部１３，２３，３３は例えばブザーで構成すれば良いし、キーボタン２１はテンキーでも良いし、例えば１〜５の少ないキーボタンで構成しても良い。
【００１４】
次に、この暗証解錠装置連動電気錠システムの動作を説明する。尚、インターホン子機からの呼び出し、及び呼び出しに対するインターホン親機からの応答動作の説明は本発明の要部ではないので省略し、暗証解錠装置３の操作による電気錠コントローラ２及びインターホン親機４の動作を図２のフローチャートを基に説明する。
まず、電気錠コントローラ２のメモリ１２には、予め電気錠１を解錠させる解錠暗証番号の他に、電気錠コントローラ２を警戒モードに設定するための警戒設定暗証番号、インターホン親機４を防犯モードに設定するための防犯設定暗証番号、更にインターホン親機５を録画モードに設定するための録画設定暗証番号が登録されている。そして、使用者により暗証解錠装置３のキーボタン２１から暗証番号が押されて入力（Ｓ１）されたら、暗証解錠装置制御部２５は、入力された暗証番号情報を暗証解錠装置Ｉ／Ｆ２４から電気錠コントローラ２に送信する。
【００１５】
電気錠コントローラ２では、電気錠コントローラ第１Ｉ／Ｆ１４を介して、伝送された暗証番号情報が電気錠コントローラ制御部１７に伝送され、電気錠コントローラ制御部１７が暗証番号情報を受信（Ｓ２）したら、メモリ１２に記憶された暗証番号情報と比較し、各種設定番号であるか、そうでないか判断（Ｓ３）する。各種設定番号であれば、警戒，防犯，録画の何れの設定であるか更に判断（Ｓ４〜Ｓ６）する。
各種設定番号でなければ、電気錠解錠番号であるか判断（Ｓ７）し、そうであれば電気錠Ｉ／Ｆ１５を介して電気錠１に解錠信号を伝送して解錠操作（Ｓ８）する。そうでなければ、暗証解錠装置３にエラー信号を送信（Ｓ９）し、エラー信号を受信した暗証解錠装置３は、例えばＬＥＤ点滅等のエラー表示（Ｓ１０）をして次の操作を待つ。
また、各種設定番号のうち、暗証番号情報が警戒設定暗証番号であったら、警戒モードに設定（Ｓ１１）し、防犯設定暗証番号、或いは録画設定暗証番号であったら、防犯モード設定信号或いは録画モード設定信号を電気錠コントローラ第２Ｉ／Ｆ１６からインターホン親機４へ出力（Ｓ１２，Ｓ１４）する。
【００１６】
インターホン親機４では、親機第１Ｉ／Ｆ３６を介してインターホン親機制御部３８が電気錠コントローラ２から送られてきた信号を受信し、防犯モード設定信号であれば防犯モードに設定（Ｓ１３）し、録画モード設定信号であったら、録画モードに設定（Ｓ１５）する。
そして、この設定操作の何れかが成されて設定が完了したら、電気錠コントローラ制御部１７から暗証解錠装置３に設定完了の信号が伝送され、暗証解錠装置制御部２５は、その信号を受信したら、暗証解錠装置３の発音部２３を動作させて報音し、使用者に設定できたことを伝える。但し、警報音等他の報音動作とは異なる音で報音する。
【００１７】
この設定により、警戒モードに設定された状態で電気錠１を設けた扉が不正に開けられたり、電気錠１が不正に解錠された場合は、電気錠Ｉ／Ｆ１５から入力される信号の変化を電気錠コントローラ制御部１７が検知して電気錠コントローラ２の発音部１３を鳴動させて警報音を発する。更に、暗証解錠装置３へも警報信号を送出して暗証解錠装置３の発音部２３も警報音を発報する。
また、インターホン親機４が防犯モードに設定された場合、防犯センサ６が作動したら、インターホン親機制御部３８がそれを検知してインターホン親機４の発音部３３より警報音（防犯警報）を発報させる。更に、インターホン親機４が録画モードに設定された場合、インターホン子機５より呼び出しがあったら、インターホン親機制御部３８はインターホン子機５のテレビカメラから送られてくる映像信号を録画部３５に保存する。
【００１８】
このように、玄関等の屋外に設置された暗証解錠装置のキーボタンを使用して、電気錠コントローラを警戒モードに設定できるので、屋内に戻ることなく警戒モードに設定でき便利である。また、別途警戒モード設定のために装置を設ける必要がないので、安価に構成できるし、暗証番号入力により設定するので、屋外で設定しても、設定を解除される心配がない。
更に、暗証解錠装置により、インターホン装置を防犯モードや録画モードに設定することもでき、インターホン装置を設定操作する際も屋内に戻る必要がなくなり便利である。
また、使用者は音情報により警戒モード等に設定されたことを認識できるので、電気錠コントローラにおいて直接設定しなくても、設定者は設定されたことを認識でき、安心できる。
【００１９】
尚、上記実施形態は、インターホン装置を１台のインターホン親機４と１台のインターホン子機５とで構成しているが、双方とも複数で構成しても良い。また、インターホン親機４に接続された防犯センサ６も、図１では１つのみ示しているが、複数設けて複数ヶ所の情報をインターホン親機４に入力させて、インターホン親機制御部３８に判断させても良い。更に、防犯警報をインターホン親機４の発音部３３の発報に加えて、暗証解錠装置３の発音部２３を発報させても良く、屋外でも発報させることで効果的に報知できる。
【図面の簡単な説明】
【００２０】
【図１】本発明の実施形態の一例を示す暗証解錠装置連動電気錠システムのブロック図である。
【図２】図１の暗証解錠装置の操作による電気錠コントローラ及びインターホン親機の動作を示すフローチャートである。
【図３】従来の暗証解錠装置連動電気錠システムのブロック図である。
【符号の説明】
【００２１】
１・・電気錠、２・・電気錠コントローラ、３・・暗証解錠装置、４・・インターホン親機、５・・インターホン子機、６・・防犯センサ、１１・・警戒設定ボタン、１２・・メモリ（暗証番号記憶部）、１３・・発音部、１７・・電気錠コントローラ制御部、２１・・キーボタン、２３・・発音部、２５・・暗証解錠装置制御部、３１・・防犯設定スイッチ、３２・・録画設定ボタン、３３・・発音部、３４・・テレビ画面部、３５・・録画部、３８・・インターホン親機制御部。
【図１】
2005188056.tif 000003
【図２】
2005188056.tif 000004
【図３】
2005188056.tif 000005